(57)【要約】    【課題】  清掃用ヘッドの底面又は底面の側に保持した別のシート状清掃材を全体として効果的に対象面の清掃に利用することができる清掃用ヘッド及び清掃具の提供。    【解決手段】  清掃用ヘッドＨは、ヘッド本体ＨＡと、そのヘッド本体ＨＡの下面全体をカバーするように下面側に取り付けられたエラストマー材料製の弾力性を有するクッション底部ＨＢからなる。クッション底部ＨＢの底面ＨＢ１の前後方向の垂直断面形状は、全体が、底面側に凸の形状に湾曲している。その凸形状は、前後方向における中央と前端ＨＢＦとの間のうち中央から前端ＨＢＦに向かって約５分の２の位置に最凸部ＨＢ２が位置し、最凸部ＨＢ２と前端ＨＢＦとの間よりも、最凸部ＨＢ２と後端ＨＢＲとの間の方が全体としての曲率が小さい形状とするる。【選択図】      図２
2007054337.tif 000002
【特許請求の範囲】
【請求項１】
底面の側において直接又は底面の側に保持した別のシート状清掃材を介して対象面を拭くための清掃用ヘッドであって、
前記底面は弾力性を有し、前記底面の所定方向の垂直断面形状が、全体又は一部が湾曲し、全体として底面側に凸の形状であり、前記凸形状は、前記所定方向における中央と一方の端部である所定端部との間に最凸部が位置するものであることを特徴とする清掃用ヘッド。
【請求項２】
上記最凸部が、上記所定方向における中央と上記一方の端部との間のうち、中央から前記一方の端部に向かって５分の１乃至５分の３の間に位置する請求項１記載の清掃用ヘッド。
【請求項３】
上記凸形状が、上記所定方向における上記最凸部と上記一方の端部との間よりも、前記最凸部と他方の端部との間の方が全体としての曲率が小さいものである請求項１又は２記載の清掃用ヘッド。
【請求項４】
上記一方の端部が拭き方向における前端部である請求項１、２又は３記載の清掃用ヘッド。
【請求項５】
請求項１乃至４の何れかに記載の清掃用ヘッドの上側に、少なくとも前後方向に傾斜角度が可変なように柄体の基部が連結されている清掃用具。
【請求項６】
柄体を水平方向に対し５０度後方傾斜させた場合における柄体の軸線の延長線が、上記底面において、上記最凸部位置を含む所定の前後方向幅内に位置し、前記前後方向幅が、前後方向における中央から前縁の間の距離の５分の１である請求項５記載の清掃具。
【請求項７】
柄体の基部が、清掃用ヘッドの前後方向中央よりも後方に位置する請求項５又は６記載の清掃具。
【発明の詳細な説明】
【技術分野】
【０００１】
本発明は、直接又は底面の側に保持した別のシート状清掃材を介して対象面を拭くための清掃用ヘッド及びその清掃用ヘッドを備えた清掃用具に関する。
【背景技術】
【０００２】
特開平６−３１１９５４号公報（特許文献１）には、清掃用具本体の底面に清掃エレメントを装着し、この清掃エレメントにて汚れを捕集する清掃用具において、上記清掃用具本体の上記底面は、中央部が凸で、清掃方向両端部へ向い湾曲する湾曲面に形成されたことを特徴とする清掃用具が記載されている。
【０００３】
この清掃用具においては、モップ本体３１を正の清掃方向ａへ移動させると、モップ本体３１は、ベース体３２の側面３５Ａ側を下向きにし、底面３３の前半部の湾曲面に沿って傾斜する。このとき、この底面３３の前半湾曲面が不織布シート２０を介して床２３に接するので、この底面３３の前半湾曲面に対応した不織布シート２０の部分が、床２３上の汚れを捕集する。また、モップ本体３１を逆の清掃方向ｂへ移動させると、モップ本体３１は、ベース体３２の側面３５Ｂ側を下向きにして、底面３３の後半部の湾曲面に沿って傾斜する。このとき、この底面３３の後半湾曲面が、不織布シート２０を介して床２３に接するので、この底面３３の後半湾曲面に対応した不織布シート２０の部分が、床２３上の汚れを捕集する。
【０００４】
このように、特開平６−３１１９５４号公報記載の清掃用具を前方へ移動させるとその前半部が汚れを捕集し、後方へ移動させるとその後半部が汚れを捕集する。しかしながら、後方移動は前方移動に比し円滑に行い難く、底面３３の全面を効率的に利用して不織布シート２０により床２３上の汚れを捕集することはできなかった。
【特許文献１】特開平６−３１１９５４号公報
【発明の開示】
【発明が解決しようとする課題】
【０００５】
本発明は、従来技術に存した上記のような課題に鑑み行われたものであって、その目的とするところは、清掃用ヘッドの底面又は底面の側に保持した別のシート状清掃材を全体として効果的に対象面の清掃に利用することができる清掃用ヘッド及び清掃具を提供することにある。
【課題を解決するための手段】
【０００６】
上記目的を達成する本発明の清掃用ヘッドは、
底面の側において直接又は底面の側に保持した別のシート状清掃材を介して対象面を拭くための清掃用ヘッドであって、
前記底面は弾力性を有し、前記底面の所定方向の垂直断面形状が、全体又は一部が湾曲し、全体として底面側に凸の形状であり、前記凸形状は、前記所定方向における中央と一方の端部である所定端部との間に最凸部が位置するものであることを特徴とする。
【０００７】
清掃用ヘッドを、その底面の側において直接又は底面の側に保持した別のシート状清掃材を介して対象面に対し所定方向における一方へ摺動させると、清掃用ヘッドは、対象面との摩擦により、摺動方向前方に向かってやや下向きに傾斜する状態となる。
【０００８】
しかしながら、清掃用ヘッドの底面の所定方向の垂直断面形状は、全体又は一部が湾曲し、全体として底面側に凸の形状であり、前記凸形状は、所定方向における中央と一方の端部との間に最凸部が位置する。従って、全体として最凸部から所定端部への上向き傾斜は最凸部から他端部への上向き傾斜よりも大きい。
【０００９】
そのため、清掃用ヘッドの底面又は底面の側に保持した別のシート状清掃材のうち、摺動方向において最凸部よりも所定端部側の部分は、摺動方向前方に向かってやや下向きに傾斜する状態でありながら、少なくとも所定端部付近が対象面との間に間隙を有し（すなわち対象面から浮き）つつ、清掃用ヘッドの底面のうち最凸部よりも他端部側の少なくとも大きな部分が対象面に接する状態で対象面上を摺動するものとすることができる。
【００１０】
この場合、清掃用ヘッドの底面又は底面の側に保持した別のシート状清掃材のうち少なくとも所定端部付近が対象面から浮いた状態であるため、対象面上の塵埃を清掃用ヘッドの底面のうち最凸部付近からその後方に至る部分に導入することができる。また、清掃用ヘッドの底面又は底面の側に保持した別のシート状清掃材のうち前記最凸部よりも他端部側の少なくとも大きな部分が対象面に接する状態であるため、清掃用ヘッドの底面又は底面の側に保持した別のシート状清掃材のうち大きな部分を、対象面との間に導入された塵埃を拭き取る上で利用することができる。
【００１１】
本発明の清掃用ヘッドは、上記最凸部が、上記所定方向における中央と上記一方の端部との間のうち、中央から前記一方の端部に向かって５分の１乃至５分の３の間に位置するものであることが好ましい。
【００１２】
また本発明の清掃用ヘッドは、上記凸形状が、上記所定方向における上記最凸部と上記一方の端部との間よりも、前記最凸部と他方の端部との間の方が全体としての曲率が小さいものであることが好ましい。
【００１３】
また本発明の清掃用ヘッドは、上記一方の端部が拭き方向における前端部であるものとすることができる。
【００１４】
本発明の清掃用具は、上記何れかの清掃用ヘッドの上側に、少なくとも前後方向に傾斜角度が可変なように柄体の基部が連結されているものである。
【００１５】
また本発明の清掃用具は、柄体を水平方向に対し５０度後方傾斜させた場合における柄体の軸線の延長線が、上記底面において、上記最凸部位置を含む所定の前後方向幅内に位置し、前記前後方向幅が、前後方向における中央から前縁の間の距離の５分の１であるものとすることが好ましい。
【００１６】
この場合、柄体の角度として最もよく使用される水平方向に対し５０度後方傾斜させた状態において、柄体の軸線の延長線付近に最凸部位置があるため、清掃用ヘッドの底面の最凸部付近に効果的に押下力を加えて清掃を効果的に行うことができる。
【００１７】
また本発明の清掃用具は、柄体の基部が、清掃用ヘッドの前後方向中央よりも後方に位置するものとすることができる。この場合、柄体の角度として最もよく使用される後方傾斜角において、柄体の軸線の延長線付近に最凸部位置があるものとなって、清掃用ヘッドの底面の最凸部付近に効果的に押下力を加えて清掃を効果的に行うことができる。
【発明の効果】
【００１８】
本発明の清掃用ヘッド及び清掃具によれば、清掃用ヘッドを、その底面の側において直接又は底面の側に保持した別のシート状清掃材を介して対象面に対し所定方向における一方へ摺動させると、清掃用ヘッドの底面又は底面の側に保持した別のシート状清掃材のうち、摺動方向において最凸部よりも所定端部側の部分は、摺動方向前方に向かってやや下向きに傾斜する状態でありながら、少なくとも所定端部付近が対象面との間に間隙を有し、清掃用ヘッドの底面のうち最凸部よりも他端部側の少なくとも大きな部分が対象面に接する状態で対象面上を摺動するものとすることができる。これにより、対象面上の塵埃を清掃用ヘッドの底面のうち最凸部付近からその後方に至る部分に導入することができ、その塵埃を、清掃用ヘッドの底面又は底面の側に保持した別のシート状清掃材のうち最凸部付近からその後方の大きな部分を利用して拭き取ることができるので、清掃用ヘッドの底面又は底面の側に保持した別のシート状清掃材を全体として効果的に対象面の清掃に利用することができる。
【発明を実施するための最良の形態】
【００１９】
本発明の実施の形態を、図面に表した清掃用具の例を中心として説明する。
【００２０】
図１は柄体の一部を省略した清掃用具の斜視図、図２は清掃用具の要部側面図、図３は清掃用ヘッドの使用状態要部拡大側面図、図４はクッション底部の拡大断面図、図５はクッション底部の拡大底面図である。
【００２１】
清掃用具Ｔは、清掃用ヘッドＨと、清掃用ヘッドＨの上側に基部が連結されている柄体Ｄを備える。
【００２２】
清掃用ヘッドＨは、平面等脚台形状（平面略長方形状等の適宜形状を選択し得る）の板状又は薄形箱形状のヘッド本体ＨＡと、そのヘッド本体ＨＡの下面全体をカバーするように下面側に取り付けられたエラストマー材料製の弾力性を有するクッション底部ＨＢからなる。清掃用ヘッドＨは短手方向が前後方向であり、清掃用ヘッドＨの平面等脚台形状を構成する平行な２辺のうち長い方の辺が前辺ＨＦ、短い方の辺が後辺ＨＲである。
【００２３】
ヘッド本体ＨＡの上側の横方向中央部における前後方向中央部よりもやや後側の位置（例えば、前後方向の中央から後端に向かってその間の５分の１乃至５分の２の間）に、外方突出部Ｊ３を有する回動連結部材ＪＡを介して柄体Ｄが連結されている。回動連結部材ＪＡは、ヘッド本体ＨＡに対し横方向の水平状の回動軸線の回りに回動可能なように連結されている。
【００２４】
回動連結部材ＪＡは、軸受筒状部ＪＢの周方向の１箇所（必ずしも１箇所に限らない）に、柄体Ｄの基部を連結するための、上部が略半円形板状で下部が方形板状（これに限らない）をなす外方突出部Ｊ３（なお、例えば外方突出部自体を柄体の基部とすることもできる）を有する。
【００２５】
柄体Ｄの基端部は、平行状に相対する支持突部ＤＡからなり、両支持突部ＤＡは、それぞれ略半円形板状（これに限らない）をなす。両支持突部ＤＡ間には縦断面略Ｕ字状の溝状間隙部Ｕが形成されている。この柄体Ｄの溝状間隙部Ｕに、外方突出部Ｊ３が平行状に挿入された状態で、両支持突部ＤＡと外方突出部Ｊ３が、回動連結部材ＪＡの回動軸線に直交する方向の連結軸Ｃにより連結されている。これにより、柄体Ｄは、回動連結部材ＪＡにおける軸受筒状部ＪＢの回動軸線のまわりに回動して前後方向ＲＡ−ＲＡの傾斜角度が可変であると共に、回動連結部材ＪＡに対し連結軸Ｃのまわりに左右方向ＲＢ−ＲＢに回動が可能なように連結されている。
【００２６】
柄体Ｄの中間部における後側には、洗浄液ボトルＢ（洗浄液に限るものではない）を、その口部Ｂ１側を下向きに嵌合させて保持するための、上方開口の洗浄液保持部Ｌを備える。
【００２７】
柄体Ｄの上端には後方屈曲の把手ＤＢが設けられ、柄体Ｄにおける把手ＤＢの下側に洗浄液噴出操作のための操作レバーＤＣが設けられている。また柄体Ｄの基端部の前側に、洗浄液噴出部ＤＤが設けられており、操作レバーＤＣを把手ＤＢ側へ引くことにより洗浄液保持部Ｌに保持した洗浄液ボトルＢ内の洗浄液を洗浄液噴出部ＤＤから噴出させることができる噴出機構を備える。
【００２８】
清掃を行なうには、清掃用ヘッドＨのクッション底部ＨＢの底面ＨＢ１を清掃用シートＷで覆った状態でその清掃用シートＷを清掃用ヘッドＨに保持する。その上で、清掃者は、必要に応じ操作レバーＤＣを引くことにより洗浄液を洗浄液噴出部ＤＤから噴出させて床面等の清掃対象面上に散布しつつ、柄体Ｄを把持して清掃対象面をクッション底部ＨＢの底面側に位置する清掃用シートＷにより拭いて清掃を行なう。ヘッド本体ＨＡの上部の前後における両側位置には、清掃用ヘッドＨの底面に配した清掃用シートＷの前後縁部付近を押し込んで保持するためのシート状縁部保持部が設けられている。シート状縁部保持部１２は、ゴム状材料製の複数の舌片間にシート状縁部を保持するものである。なお、清掃用シートＷ等を用いずに清掃用ヘッドの底面で直接清掃対象面を清掃するものとすることもできる。
【００２９】
クッション底部ＨＢは、その底面ＨＢ１のほぼ全面にわたり、若干下方に突起（例えば０．５−１．５ｍｍ程度）した波形突条１４（波形以外の突条、或いは各種突起等であってもよい）を有する。波形突条１４は、清掃対象面の汚れを清掃用シートＷを介して掻き取る効果等を期するためのものであり、半円周状部が横方向に交互に振れて前後方向に連続する波形突条１４が横方向に並列状に多数設けられている。
【００３０】
クッション底部ＨＢの底面ＨＢ１の前後方向の垂直断面形状（突条、突起等による局所的な凹凸を含まない）は、全体が、底面側に凸の形状に湾曲している。その凸形状は、前後方向における中央と前端ＨＢＦとの間のうち中央から前端ＨＢＦに向かって約５分の２の位置に最凸部ＨＢ２が位置し、最凸部ＨＢ２と前端ＨＢＦとの間よりも、最凸部ＨＢ２と後端ＨＢＲとの間の方が全体としての曲率が小さい形状（部分的に曲率が同じか又は逆転しているものであっても除外されるものではない）である。底面ＨＢ１の前端ＨＢＦと後端ＨＢＲを結んだ直線から最凸部ＨＢ２が突出する高さは、例えば、底面ＨＢ１の前後長さ（例えば５０−２００ｍｍ）の０．４−３％程度（好ましくは０．５−２％、より好ましくは０．８−１％）とすることができる。底面ＨＢ１の前端ＨＢＦと後端ＨＢＲを結んだ直線から最凸部ＨＢ２が突出する高さの最も好ましい寸法は、０．８−１ｍｍである。なお、クッション底部の底面の前後方向の垂直断面形状は、全体が底面側に凸の形状に湾曲しているものに限らず、例えば一部が直線状であるものであってもよい。
【００３１】
クッション底部ＨＢの底面ＨＢ１を清掃用シートＷで覆った状態の清掃用ヘッドＨを、柄体Ｄを把持して床面ＦＬに対し前方へ摺動させると、清掃用ヘッドＨは、床面ＦＬとの摩擦により、摺動方向前方に向かってやや下向きに傾斜する状態となる。
【００３２】
クッション底部ＨＢの底面ＨＢ１の前後方向の垂直断面形状（突条、突起等による局所的な凹凸を含まない）は、全体が、底面側に凸の形状に湾曲している。その凸形状は、前後方向における中央と前端との間のうち中央から前端に向かって約５分の２の位置に最凸部ＨＢ２が位置し、最凸部ＨＢ２と前端ＨＢＦとの間よりも、最凸部ＨＢ２と後端ＨＢＲとの間の方が全体としての曲率が小さい形状である。従って、全体として最凸部ＨＢ２から前端ＨＢＦへの上向き傾斜は最凸部ＨＢ２から後端ＨＢＲへの上向き傾斜よりも大きい。
【００３３】
そのため、クッション底部ＨＢの底面ＨＢ１に保持した清掃用シートＷのうち、摺動方向において最凸部ＨＢ２よりも前方の部分は、摺動方向前方に向かってやや下向きに傾斜する状態でありながら、少なくとも前端ＨＢＦ付近が床面ＦＬとの間に間隙を有し（すなわち床面ＦＬから浮き）、底面ＨＢ１のうち最凸部ＨＢ２よりも後方の部分がほぼ床面ＦＬに接する状態で床面ＦＬ上を摺動する。
【００３４】
クッション底部ＨＢの底面ＨＢ１に保持した清掃用シートＷのうち少なくとも前端ＨＢＦ付近が床面ＦＬから浮いた状態であるため、床面ＦＬ上の塵埃１６をクッション底部ＨＢの底面ＨＢ１のうち最凸部ＨＢ２付近からその後方に至る部分に導入することができる。また、クッション底部ＨＢの底面ＨＢ１に保持した清掃用シートＷのうち前記最凸部ＨＢ２よりも他端部側の後方の部分がほぼ床面ＦＬに接する状態であるため、底面ＨＢ１に保持した清掃用シートＷのうち大きな部分を、床面ＦＬとの間に導入された塵埃を拭き取る上で利用することができる。
【００３５】
柄体Ｄの連結位置は、柄体Ｄを水平方向に対し５０度後方傾斜（左右方向は傾斜なし）させた場合に柄体Ｄの軸線の延長線が、底面ＨＢ１において、最凸部ＨＢ２位置を含む所定の前後方向幅（前後方向における中央から前縁の間の距離の５分の１）内に位置するものとしている。柄体Ｄの角度として最もよく使用される水平方向に対し５０度前後後方傾斜させた場合に、柄体Ｄの軸線の延長線付近に最凸部ＨＢ２位置があるため、クッション底部ＨＢの底面ＨＢ１の最凸部ＨＢ２付近に効果的に押下力を加えて清掃を効果的に行うことができる。
【図面の簡単な説明】
【００３６】
【図１】柄体の一部を省略した清掃用具の斜視図である。
【図２】清掃用具の要部側面図である。
【図３】清掃用ヘッドの使用状態要部拡大側面図である。
【図４】クッション底部の拡大断面図である。
【図５】クッション底部の拡大底面図である。
【符号の説明】
【００３７】
１２    シート状縁部保持部
１４    波形突条
１６    塵埃
Ｂ      洗浄液ボトル
Ｃ      連結軸
Ｄ      柄体
ＤＡ    支持突部
ＤＢ    把手
ＤＣ    操作レバー
ＤＤ    洗浄液噴出部
ＦＬ    床面
Ｈ      清掃用ヘッド
ＨＡ    ヘッド本体
ＨＢ    クッション底部
ＨＢ１  底面
ＨＢ２  最凸部
ＨＢＦ  前端
ＨＢＲ  後端
ＨＦ    前辺
ＨＲ    後辺
Ｊ３    外方突出部
ＪＡ    回動連結部材
ＪＢ    軸受筒状部
Ｌ      洗浄液保持部
Ｔ      清掃用具
Ｕ      溝状間隙部
Ｗ      清掃用シート
【図１】
2007054337.tif 000003
【図２】
2007054337.tif 000004
【図３】
2007054337.tif 000005
【図４】
2007054337.tif 000006
【図５】
2007054337.tif 000007